Podtech/llm-jp-corpus-v4-ja_patent huggingface dataset:
(57)【要約】 【課題】 放電の際、テスターにて電圧が2.496Vから約1.5Vまで下がるのが早いのが気になったが、1.5V用のＬＥＤを長い時間、点灯させるだけの電力量はあった。テスター上の数値の下がり具合を観測するとキャパシタのような放電特性を想像できる。【解決手段】 １００度近くの温度で使用することで放電特性の改善が見込まれる。【選択図】  図４
2014127243.tif 000002
【特許請求の範囲】
【請求項１】
少なくとも電解液にケイ酸ナトリウム原液を使用し、水素イオンの発生をゼロにした空気アルミニウム二次電池。
【請求項２】
前記電解液は充電時、酸化ナトリウムが酸素イオンとナトリウムイオンに電気分解する空気アルミニウム二次電池。
【請求項３】
前記アルミニウムは充電時、カソードにて酸化アルミニウムから金属アルミニウムに還元する、請求項１に記載のアルカリ蓄電池。
【請求項４】
前記アルミニウムは放電完了時、酸化アルミニウム皮膜をつくるため、電極がなくならない、請求項１に記載の空気アルミニウム二次電池。
【請求項５】
前記酸化アルミニウム皮膜は放電時、ナトリウムイオンによる分極がおきるが、この現象をも利用する請求項１に記載の空気アルミニウム二次電池。
【請求項６】
前記二次電池は放電時、アノードに備長炭を使用することで空気中の酸素を吸蔵し、酸素電極になる、請求項１に記載の空気アルミニウム二次電池。
【請求項７】
前記二次電池は、非水系電解質としてケイ酸ナトリウム原液を使用し充電することができる請求項１に記載の空気アルミニウム二次電池。
【発明の詳細な説明】
【技術分野】
【０００１】
本発明はカソード(負極)にアルミニウム、アノード(正極)に備長炭、電解質にケイ酸ナトリウム原液、セパレータは樹脂板で構成される蓄電池に関する。
【背景技術】
【０００２】
空気亜鉛電池    アノード
【化１】
2014127243.tif 000003
カソード
【化２】
2014127243.tif 000004
二酸化マンガン-リチウムアルミ二次電池
【化３】
2014127243.tif 000005
【０００３】
空気亜鉛電池はアノードに空気中の酸素、カソードに亜鉛を使用し電解液に水酸化カリウム水溶液を使用。１９０７年にフランスのフェリーによって考案された。比較的大容量、安価、電圧変動少ないが、外気温が５度以下の環境、二酸化炭素が多い環境下では性能が著しく低下する。起電力は 1.35(V)〜1.40(V)
二酸化マンガン-リチウムアルミ二次電池はマイナス２０度からプラス６０度の外気温下で使用可能、１セルあたり起電力は、2.5(V)  電圧-負荷特性はキャパシタと類似する。
【先行技術文献】
【特許文献】
【０００４】
【特許文献１】特開２０１２−０３８５４５号公報
【特許文献２】特表２００５−５３６０１８号公報
【発明の概要】
【発明が解決しようとする課題】
【０００５】
ところで、前述の種々空気亜鉛電池はカソードの量と放電時間は比例するが一次電池として利用されている。
二酸化マンガン-リチウムアルミ二次電池は１セルあたりのエネルギー量は多く最も高性能な電池であるが素材が一般的でないため値段が高い。    
【０００６】
本発明は、これらの事情のもとでなされたものであり、電力用蓄電池としてリチウムイオン二次電池よりも流通しやすくなることを目的とする。
【課題を解決するための手段】
【０００７】
本発明の空気アルミニウム蓄電池はアノードにて酸素を備長炭に吸蔵し、電解液にケイ酸ナトリウム原液、カソードにてアルミニウムを備長炭と樹脂板の下に敷き、これらにアルミニウム線をつなぎ陶器の容器内で使用した。電解液は水溶液では放電電圧に限界があるため非水系電解質としてケイ酸ナトリウムを使用した。最高放電電圧は2.496Vを計測した。また、テスターでの計測ではテスターをつなげているだけで電圧は下がっていくが、1.5V用のＬＥＤをつなぐと12時間明るく点灯し続けた。かなり暗くなってはいるが25時間経ても点灯し続けている。
充電は自動車バッテリー用の12Vをつないで行った。電極の劣化、電解液の変色は見られなかった。
【０００８】
前記の蓄電池はカソードの炭素棒をアルミニウムに変更した結果、放電電圧は上がり、放電時間も延びた。
【０００９】
前記の蓄電池のアノードは炭素棒を使用するよりも備長炭の酸素を使用したほうが放電時間が延びた。
【発明の効果】
【００１０】
空気リチウム電池の実用化はまだ成されていないが、空気ナトリウム電池としての実用化を実現。
【００１１】
本発明はリチウムイオン電池の起電力には劣るが、身近な素材を使用するため、廃品の有効利用も可能である。
【００１２】
未実施であるが、使用温度を１００度近くにすると放電特性の改善が見込まれる。
【図面の簡単な説明】
【００１３】
【図１】簡略化した充電時の説明図
【図２】簡略化した放電時の説明図
【図３】両電極の構成
【図４】図３を容器に入れた実施例
【発明を実施するための形態】
【００１４】
以下に図面を参照しながら本発明の実施の形態について説明する。
【００１５】
図１は充電中の簡単な説明図である。図１の構成は備長炭、アルミニウム線、ビニール板、電解液、陶器製容器である。同図において、１はアルミニウム線、２は備長炭、３は樹脂板、４はアルミ箔、６は電解液を示す。充電時、カソードにてナトリウムイオンはアルミニウムと合金になるものと思われる。一方アノードでは電解液中の少ない酸素イオンが発生する。
【００１６】
図２は放電中の簡単な説明図である。図２の構成は備長炭、アルミニウム線、ビニール板、電解液、陶器製容器である。同図において、１はアルミニウム線、２は備長炭、３は樹脂板、４はアルミ箔、６は電解液を示す。放電時、カソードにてアルミニウムは酸化アルミニウムに変化していくがナトリウムイオンによる分極作用に期待できる。一方アノードでは空気中の酸素を多孔質の備長炭に吸蔵するため、アルミニウムも酸化できる。
【００１７】
図３は両電極の構成についての説明図である。図３の構成は備長炭、アルミニウム線、樹脂板、アルミ箔である。同図において、１はアルミニウム線、２は備長炭、３は樹脂板、４はアルミ箔、５はビニールパイプを示す。樹脂板３とビニールパイプ５で短絡を防止する。
【００１８】
図４は図３の実施例であり、アルミニウム線１、備長炭２、樹脂板３、アルミ箔４、ビニールパイプ５、電解液６、陶器製容器７で構成する。
【００１９】
上述の陶器製容器は、備長炭を入れるのに適した大きさを選んだ。
【００２０】
【化４】
2014127243.tif 000006
【化５】
2014127243.tif 000007
【化６】
2014127243.tif 000008
【符号の説明】
【００２１】
１  アルミニウム線
２  備長炭
３  樹脂板
４  アルミ箔
５  ビニールパイプ
６  電解液
７  陶器製容器
A   アルミニウム
Al2O3  酸化アルミニウム
SiO2  二酸化珪素
Na2O  酸化ナトリウム
Na    ナトリウムイオン
O2    酸素
e     電子
【図１】
2014127243.tif 000009
【図２】
2014127243.tif 000010
【図３】
2014127243.tif 000011
【図４】
2014127243.tif 000012
(57)【要約】      （修正有）【課題】電子書籍中古販売サイトと既存の電子書籍販売サイトを連携し、中古電子書籍の買取、再販売を可能にし、利用者に利便性を提供する。【解決手段】電子書籍の販売ＷＥＢサイト（１）において、電子書籍購入者（２）の購入済み書籍（３）一覧ページに中古販売用リンク（４）を設置する。電子書籍購入者は、この中古販売用リンクを辿り、購入済み電子書籍を電子書籍の販売ＷＥＢサイトに売却することができ、売却完了後、購入済み書籍一覧から当該の電子書籍が消去され、買い取られた電子書籍は電子書籍中古販売ＷＥＢサイト（５）上で再販売される。【選択図】図１
2014127195.tif 000002
【特許請求の範囲】
【請求項１】
電子書籍販売ＷＥＢサイトで電子書籍を買取、買取した電子書籍を他の中古電子書籍販売ＷＥＢサイトで販売するシステム
【発明の詳細な説明】
【技術分野】
【０００１】この発明は電子書籍の中古販売を可能にするシステム、販売方法に関するものである。
【技術背景】
【０００２】現在の電子書籍の販売システムは、インターネット上のサーバー保管されているデータを購入者がダウンロードもしくはストリーミングで携帯電話、スマートフォン、ＰＣ、タブレトット等の端末で閲覧するシステムになっている。
【先行技術文献】
【０００３】
【特許文献１】
【発明の概要】
【発明が解決しようとする課題】
【０００４】現在の電子書籍販売システムには、次のような利用者（購入者）にとっての不利益があった。
一般的な紙に印刷された書籍は、購入者が読み終わった後に、中古販売店への転売が可能であった。電子書籍の販売システムはこのような中古での転売の仕組みが確立されていない為、購入者（利用者）にとって転売による金銭的なメリットが考慮されていない。
【課題を解決するための手段】
【０００５】電子書籍の販売ＷＥＢサイト（１）、電子書籍購入者（２）の購入済み書籍（３）一覧ページに中古販売用リンク（４）を設置する。電子書籍購入者がこの中古販売用リンクを画面上で押下すると、購入済み書籍一覧から当該の電子書籍が消去される。電子書籍購入者へは予め決められた電子書籍買取金額分の金額がキャッシュバックされる。払い戻される金額はＷＥＢマネーもしくはポイントでも可能。電子書籍販売ＷＥＢサイトで買い取られた電子書籍は電子書籍中古販売ＷＥＢサイト（５）上で再販売されることになる。
本発明は、上記のフローにより、電子書籍の中古販売を可能にするものである。
【発明の効果】
【０００６】電子書籍購入者にとって、読み終わった電子書籍は、転売されることなくサーバー上に放置されるだけであったが、電子書籍中古販売システムによって、新たな電子書籍購入等へ利用可能な金銭、ポイント等への交換が可能となる。再度読む可能性が低い読み終わった電子書籍を売却することは電子書籍購入者にとっては不便に感じることはない。
【図面の簡単な説明】
【０００７】
【図１】本発明に関する全体的図である
【図２】本発明に関するユーザ導線フロー図である
【発明を実施するための形態】
【０００８】以下、本発明を実施するための形態について説明する。
電子書籍販売ＷＥＢサイト（１）に電子書籍購入者（２）はに会員登録をし、そのサイト上で販売されている電子書籍をダウンロードもしくはストリーミングで購入する。その際会員認証、著作権保護の為、インターネット上のサーバーとの通信が必要になる。電子書籍購入者は読書後に購入済み電子書籍（３）を電子書籍販売ＷＥＢサイト内で保管することになる。再度読みたくなった場合は、このＷＥＢサイト内で保管されている購入済み電子書籍を再度呼び出し、購入者自らのインターネット対応端末で読むことが可能である。しかし、再度読む可能性が低い購入済み電子書籍を転売し、新たな電子書籍購入の原資に充てる事は出来ない。
電子書籍購入者が、購入元の電子書籍販売サイトに購入済み電子書籍を買い取ってもらうことによって、対価として金銭、ＷＥＢマネー、ポイントを獲得し、新規の電子書籍購入の原資に充てることができるようにする。尚、この際の買取金額は新規で電子書籍を購入する金額と比して、１０％〜２０％程度に抑える必要がある。
この際、電子書籍販売ＷＥＢサイトは中古販売可能な電子書籍に中古販売用リンク（４）を設置し、電子書籍購入者は、この中古販売用リンクを▲辿▼り購入済み電子書籍を売却することになる。売却完了後、購入済み書籍一覧から当該の電子書籍が消去される
電子書籍購入者から電子書籍販売ＷＥＢサイトが買い取った電子書籍は、指定の電子書籍中古販売ＷＥＢサイト（５）へ登録され、電子書籍中古販売ＷＥＢサイトに登録した利用者によって、新規販売金額よりも安価な金額で再度購入されることになる。電子書籍中古販売ＷＥＢサイト側から、元の電子書籍販売ＷＥＢサイト側へは、買取金額と中古販売された際の金額との差分の一定料率分の金額が支払われる。このことによって、電子書籍販売ＷＥＢサイトにとっても中古電子書籍を買い取るメリットが出てくる。
以上のような電子書籍中古販売システムは、購入者、販売ＷＥＢサイト、中古販売ＷＥＢサイト３者にとってメリットが大きいものとなる。
【符号の説明】
【０００９】１      電子書籍販売ＷＥＢサイト
２      電子書籍購入者
３      購入済み電子書籍
４      中古販売用リンク
５      電子書籍中古販売ＷＥＢサイト
【図１】
2014127195.tif 000003
【図２】
2014127195.tif 000004
(57)【要約】【課題】近視や老眼で、印刷物が読みづらい方が、スマートフォンの操作で、音声読み上げをしてくれるアプリケーション・ソフトを提供する。【解決手段】（２）スマートフォンの（３）カメラ機能で、読み上げさせたい印刷物を（４）のシャッターボタンを押す。次に（５）の範囲指定ボタンを押すと、ＯＣＲソフトにより光学文字認識しテキストデータとなる。このテキストデータを音声発生装置により、発音させるアプリケーションである。縦書き、横書き混在する場合や、新聞など読み上げの指定が必要な印刷物は、テキストデータを指でなぞることで、読み上げ順を指定できるものである。【選択図】図３
2014127197.tif 000002
【特許請求の範囲】
【請求項１】
スマートフォンの（３）カメラで撮った画像を、光学文字認識させるＯＣＲ装置を組み込み、新聞などの縦書き、横書きの混在した印刷物を、読み上げる順番を指定できる機能を持った、読み上げを行うスマートフォン用アプリケーション・ソフト。
【発明の詳細な説明】
【技術分野】
【０００１】この発明は、スマートフォンのカメラで文字を認識して、それを読み上げる順になぞると、スピーカーから発音するアプリケーション・ソフトである。
【技術背景】
【０００２】  従来、スマートフォンで、テキストの文字を認識して、発声するアプリケーションはあったが、印刷された文字を、認識し発声することはできなかった。また、新聞など縦書きや段組の多い文章は、読み上げる順番を規則化できなかった。
【先行技術文献】
【０００３】
【特許文献】
【特許文献】  特許公開２００９−５２６４５８
【非特許文献】
【非特許文献】  Ｇｏｏｇｌｅドキュメントのカメラ画象のテキスト変換  ドキュメントトーカＰｌｕｓ（文章読み上げ有料ソフト）  ＥａｓｙＳｐｅｅｃｈ（文章読み上げフリーソフト）
【発明の概要】
【発明が解決しようとする課題】
【０００４】  パソコンでは、テキストデータ並びに光学文字認識した文字コードを読み上げるアプリケーション・ソフトはあった。また、スマートフォンでも、メールなどのテキストデータを読み上げるアプリケーション・ソフトはあったが、スマートフォンで、光学文字認識を行い、読み上げるアプリケーション・ソフトはなかった。
【課題を解決するための手段】
【０００５】  特許公開２００９−５２６４５８の仕組みで、スマートフォンの内蔵カメラにより、印刷物の画像を写し、既知フォントの文字をテキストファイルとして認識させる。認識したテキストファイルの画面を指で読み上げさせる順になぞり、音声で読み上げるようにした光学文字認識の読み上げ装置。
【発明の効果】
【０００６】新聞や説明書などの小さな文字の印刷物は、近視や老眼・乱視の人物は、読みづらい場合があったので、いつも持っているスマートフォンに、カメラで文字を認識させ、それに対応する発音機能を付与すれば、いつでも音声による読み上げで、小さな文字の認識が可能となる。また、新聞など段組のある印刷物も、読み上げさせたい順に、なぞることで読み上げの規則性を持たせることができる。
【図面の簡単な説明】
【０００７】
【図１】  本発明を利用する環境を示したもので、新聞をスマートフォンのカメラで撮影しようとしている図である。
【図２】  本発明を利用する最初の操作を示したもので、新聞をスマートフォンのカメラで撮影した図である。
【図３】  本発明を利用し、画像をＯＣＲソフトで文字コードに変換したのち、読み上げる列の順序を指定する作業の図である。
【図４】  本発明を利用し、読み上げる順を確定した場面の図である。
【図５】  本発明を利用し、読み上げを行わせる直前の図である。
【発明を実施するための形態】
【０００８】以下、本発明を実施するための形態について説明する。
読み上げさせたい印刷物の新聞を、（２）スマートフォンの（３）カメラ機能の（４）シャッターボタンを押し、画像に収めたのが、［図２］である。次に（５）の範囲指定ボタンを押すと、ＯＣＲソフトが作動し、文字が文字コード処理されテキストデータとなる。さらに、その文字を、読み上げる順に指でなぞったのが［図］３である。なぞり終わって、もう一度（５）範囲指定ボタンを押し、確定させたのが［図４］である。ここから（６）読み上げボタンを押すと、音声による読み上げが始まる。
【産業上の利用可能性】
【００９】老眼や近視および弱視の方が、新聞や雑誌などの印刷物が、読みにくい場合、身近に虫眼鏡がない場合でも、スマートフォンの普及が進んでいることで、これで代用しようというものである。スマートフォンの付属機能で文字拡大もできる。さらに、音声による読み上げもできることで、文字の拡大調整をしなくて済む。身近な道具として、利用機会が増えるものと思われる。ＯＣＲソフトも多く存在し、認識率も向上している。普及が進んでいるスマートフォン以外に、Ｉｐａｄ、カメラ付きタブレット端末にも応用できると思われる。
【図１】
2014127197.tif 000003
【図２】
2014127197.tif 000004
【図３】
2014127197.tif 000005
【図４】
2014127197.tif 000006
【図５】
2014127197.tif 000007
(57)【要約】【課題】冷蔵庫中で冷やされた物は使用時に庫外に出すと外気との温度差で物の外面に結露（水滴）を付ける、再び冷蔵庫に入れる際に拭き取らずに入れると庫内は湿度が高くなり、雑菌やカビが発生しやすくなる。結露（水滴）を拭いて収めることは衛生面からも必要であるが拭く物を用意するのは面倒であった。本発明品は冷蔵庫前に立ったままで物の結露（水滴）を拭いて庫内に収めて、布巾を手から離すと自然と干された状態になる。この便利な布巾を提供する【解決手段】冷蔵庫本体などに吸盤を取り付けて、その吸盤にゴム紐を通す穴を作り、そこをゴム紐の片端を通してスナップボタンで止めてもう片端は布巾の隅に開けた穴に通してスナップボタンで止めてゴム紐による伸縮で自在に動かせる布巾が下げられた状態になる【選択図】図２
2014039574.tif 000002
【特許請求の範囲】
【請求項１】
冷蔵庫などに取り付ける部分である吸盤（１）と吸水性や速乾性の良いタオル地を含む素材でできた布巾（６）を伸縮の良いゴム紐（３）で連結すべくスナップボタン等を用いた取り付け型の布巾。
【発明の詳細な説明】
【技術分野】
【０００１】本発明は冷蔵庫から出した物を食卓などで使用後に再び冷臓庫に収める時に生じる容器外面の結露（水滴）を拭く為に冷蔵庫などに取り付けて使う物である。
【背景技術】
【０００２】通常は布巾やタオルを取ってきて、結露（水滴）を拭いて濡れたそれらをまた干すかキッチンペーパーなど拭いて捨てていた。
【発明の概要】
【発明が解決しようとする課題】
【０００３】従来の動作は面倒であった。また、キッチンペーパーなどの使用は不経済である。これらの解決の為に本発明品を冷蔵庫ドアや冷蔵庫の側面などに吸盤で付けることにより手間を少なく便利に結露（水滴）が拭ける。
【課題を解決するための手段】
【０００４】取り付ける部分である吸盤（１）と布巾（６）をゴム紐（３）で連結すべくゴム紐（３）の吸盤側端はスナップボタン（４）で布巾側端はスナップボタン（５）で止める。以上の構成よりなる取り付け型の布巾。
【発明の効果】
【０００５】本発明を使用することで物に付いた結露（水滴）を簡単に拭いて冷蔵庫に収めることができる。ゴム紐で布巾を連結したので拭く物の形に合わせ伸縮して支障なく拭けて作業後に手を布巾から離すと自然に布巾は吊され干された状態になる。
【図面の簡単な説明】
【０００６】
【図１】本発明の取り付け型の布巾の斜視図
【図２】本発明の取り付け状態斜視図
【発明を実施するための形態】
【０００７】以下、本発明の実施の形態を説明する。
吸盤（１）にある吸盤のゴム紐通し穴（２）にゴム紐（３）の片方端を通してスナップボタン（４）で固定。ゴム紐（３）のもう片方端を布巾のゴム紐通し穴（７）に通して布巾（６）をスナップボタン（５）で固定。
ゴム紐の端は両端とも同じ形状であり、同じスナップボタンを付ける。よってスナップボタン（４）はスナップボタン（５）にもなることもあり、その逆もある。本発明は以上の構成よりなる。
本発明を使用する場合は、吸盤（１）は冷蔵庫ドア表面または側面などに使用者の使い易い高さに付ける。庫中に収める物の結露（水滴）を拭き取った布巾（６）は手を離すと元の様に吊り干された状態になるので、空いた手でドアを開けて物を収められる。布巾は汚れたら取りはずして洗うことが出来る様にスナップボタン（５）にて着脱可能。
【符号の説明】
【０００８】  １  吸盤
２  吸盤のゴム紐通し穴
３  ゴム紐
４  スナップボタン
５  スナップボタン
６  布巾
７  布巾のゴム紐通し穴
【図１】
2014039574.tif 000003
【図２】
2014039574.tif 000004
(57)【要約】【課題】  水受け皿はデザイン的にも芳しくなく、漏れた水で汚れている場合はせっかくの植木の美観を害している。底面給水鉢は、水槽一体型の特殊な鉢で、デザインが限定され、水槽が一体となっているため、扱いも面倒である。また、水槽に自動給水できないので、給水量の多いベランダ植物には対応できない。【解決手段】  植木鉢の荷重に耐え得る浅い上部開放型水槽と、この水槽を覆い隠す形で寸法を合致させ、上部に給水材を垂らすことのできる開口を設けた化粧カバーとで構成する。また、水槽一端に注水口を突設しても良く、さらには、水槽一端に自動給水するためのチューブ接続口を設けても良い。【選択図】図１
2014039524.tif 000002
【特許請求の範囲】
【請求項１】
植木鉢の荷重に耐え得る浅い上部開放型水槽と、この水槽を覆い隠す形で寸法を合致させ、上部に給水材を垂らすことのできる開口を設けた化粧カバーとで構成する水槽内臓の植木鉢台。
【請求項２】
水槽一端に注水口を突設し、この注水口に対応する部分を繰り抜いた化粧カバーとで構成する請求項１記載の水槽内臓の植木鉢台。
【請求項３】
水槽一端にチューブ接続口を設け、この接続口に対応する部分を繰り抜いた化粧カバーとで構成する請求項１及び請求項２記載の水槽内臓の植木鉢台。
【発明の詳細な説明】
【技術分野】
【０００１】  本発明は、植木鉢を乗せる、水槽内臓の植木鉢台である。
【背景技術】
【０００２】  通常、植木鉢の下には水漏れ防止用の水受け皿を置くのが一般的であるが、盆栽展等では立派な鉢乗せ台を置く場合も多い。また、下部水槽から給水材で自動給水する水槽一体型の底面給水鉢がある。
【発明の概要】
【発明が解決しようとする課題】
【０００３】  水受け皿はデザイン的にも芳しくなく、漏れた水で汚れている場合はせっかくの植木の美観を害している。また、水を受けるだけの役割しかなく、給水のために水をいっぱい詰めれば、根腐れの恐れもある。【０００４】  底面給水鉢は、水槽一体型の特殊な鉢で、デザインが限定され、水槽が嵌め込み式となっているため、扱いも面倒である。また、水槽に自動給水できないので、給水量の多いベランダ植物には対応できない。
【課題を解決するための手段】
【０００５】  植木鉢９の荷重に耐え得る浅い上部開放型水槽１と、この水槽を覆い隠す形で寸法を合致させ、上部に給水材を垂らすことのできる開口２を設けた化粧カバー３とで構成する。また、水槽一端に注水口４を突設し、この注水口に対応する部分を繰り抜いた化粧カバーとで構成しても良く、さらには、水槽一端に自動給水するためのチューブ接続口５を設け、この接続口に対応する部分を繰り抜いた化粧カバーとで構成しても良い。自動給水するためのチューブ接続口のみを設ける場合は、水槽の高さを低くすることができる。【０００６】  また、水槽１の面積が大きい場合は、水槽内にリブ６を設ける。これにより、植木鉢９の重量はリブでも支えられるので、化粧カバー３は薄い材料で作ることができる。この結果、車輪付水槽としても、従来の車輪付水受け皿よりも材料を薄くすることができ、車輪を隠すのも容易だ。【０００７】  また、鉢上部から直接給水した場合の水漏れ防止策として、化粧カバー３の開口２周辺下部には、水垂れ７を設けると良く、化粧カバー上部外周に低い水漏れ防止堤８を設けると良い。【０００８】  また、水槽と化粧カバーとの寸法整合性は、水垂れ７部分をリブ６内側にはめ込む形式にすると、水槽中央に化粧カバーが自動的に位置することとなり、整合させ易い。
【発明の効果】
【０００９】  植木鉢の化粧台として利用でき、底面給水用水槽としても利用でき、水受け皿ともなれる。底面給水鉢のように鉢と一体化する必要が無いので、自由な鉢を使用でき、化粧カバーも鉢と関係のない自在なデザインで作ればよい。【００１０】  鉢は乗せているだけだから、はめ込まれている底面給水鉢と比べれば、水抜き、清掃等も簡単にできる。また、鉢を自在に入れ替えることができるので、化粧カバーとの組み合わせを楽しむこともできる。
【図面の簡単な説明】
【００１１】
【図１】  断面図
【図２】  上面図
【図３】  チューブ接続のみとした断面図
【図４】  チューブ接続のみとした水槽平面図
【発明を実施するための形態】
【００１２】  ただ、植木鉢を乗せるだけで利用できる。水槽には、チューブで自動給水できると便利だし、水槽の深さを水が漏れない範囲で浅くできるが、水位が自動調整された水源が必要。これについては本件請求範囲外である。また、水槽から鉢へ給水するには、不織布等の給水材が必要だが、これについても本件請求範囲外である。なお、チューブ接続口を設けた場合でも、チューブ接続しない場合はゴムキャップを被せておく。
【符号の説明】
【００１３】  １  水槽
２  開口
３  化粧カバー
４  注水口
５  チューブ接続口
６  リブ
７  水垂れ
８  水漏れ防止堤
９  植木鉢
【図１】
2014039524.tif 000003
【図２】
2014039524.tif 000004
【図３】
2014039524.tif 000005
【図４】
2014039524.tif 000006
(57)【要約】【課題】  植木鉢にジョロ等で毎日給水するのは面倒だし、適量な給水が難しいし、屋内なら水受け皿を必要とするので美観上も芳しくなく、長期外出時には給水に困る。タイマーを使う自動給水では、給水量が鉢の乾燥に対応せず、鉢ごとの給水量調整が難しく、設備費が高額となる。【解決手段】  先端が尖り、基端が開放形状である硬質筒の外周に多数の給水孔を設け、この硬質筒内に給水性の高い紐状の給水材を詰め、基端外部まで垂らす構成とした。また、硬質筒の基端に水溜めを設け、この外周にチューブ接続口を設け、チューブ接続することもできる。【選択図】図１
2014039522.tif 000002
【特許請求の範囲】
【請求項１】
先端が尖り、基端が開放形状である硬質筒の外周に直径３〜５ｍｍ程度の多数の給水孔を設け、この硬質筒内にスポンジやフェルト等の給水性の高い紐状の給水材を詰め、基端外部まで垂らす構成とした差し込み式植木鉢給水具。
【請求項２】
硬質筒の基端に水溜めを設け、この外周にチューブ接続口を設けた請求項１記載の差し込み式植木鉢給水具。
【発明の詳細な説明】
【技術分野】
【０００１】  本発明は、植木鉢の鉢底や鉢側、鉢上から鉢土内に自在に差し込み、毛細管現象を利用して植木鉢に自動給水する用具である。
【背景技術】
【０００２】  植木鉢給水には、上部からの直接給水と鉢底部から毛細管現象を利用する底面給水等がある。上部からの直接給水には、ジョロ等を使って水量を感覚的計量で手動給水する方法とタイマ−等を使って定時に定量を自動給水する方法等がある。【０００３】  底面給水方式では、水槽セットで鉢土内から不織布等を垂らす底面給水鉢方式と、トレー等に浅く水を張り、その中に鉢を漬けて給水する方法がある。
【発明の概要】
【発明が解決しようとする課題】
【０００４】  上部からジョロ等を使った給水方法は、水量が適切でなく、乾燥の都度給水する必要があり、長期外出時は困ってしまう。また、葉や球根に水を掛けると不適切な場合は給水が面倒で、屋内で使用する場合は水受け皿を必要とするので美観上も好ましくなく、漏れた水で水受け皿が汚れていれば尚更美観を損ねる。【０００５】  タイマ−等を使って定時に定量を自動給水する方法は、長期外出時でも安心だが、水量が鉢の乾燥度に対応せず、設備費が高額になり、電気と水道を必要とする。通常は各鉢への配水は特殊チューブを使用するが、鉢ごとの給水量調整が難しく、チューブと鉢との固定方法にも問題もあり、チューブが鉢上部に露出するので、美観上も芳しくない。【０００６】  底面給水鉢方式は、植木が必要とするだけ給水されるので理想的な給水方法だが、水槽セットの底面給水鉢を使用する場合は、土を入れる段階から給水材を埋め込まなくてはならないし、給水材の目詰まりや給水量の変更のために給水材を変更しようとすれば、最初から植え替えなくてはならない。また、鉢が限定され、水槽が嵌め込まれているので面倒で、デザイン上も良好とは言えない。なお、トレーを使う方法は、生産農家用であるが、水位調整を誤ると根腐れを起こしてしまう。
【課題を解決するための手段】
【０００７】  先端が尖り、基端が開放形状である硬質筒１の外周に直径３〜５ｍｍ程度の多数の給水孔２を設け、この硬質筒内にスポンジやフェルト等の給水性の高い紐状の給水材３を詰め、基端外部まで垂らす構成とした。また、硬質筒１の基端に水溜め４を設け、この外周にチューブ接続口５を設けることもできる。【０００８】  硬質筒１の断面は、丸でも角でも良く、外周に設ける給水孔２の形状も丸でも角でも良い。硬質筒基端部は、掴み易くするためと、進入ストッパとして太くすると良いが、給水材２が引き抜けない対策としてコブ７を作れば、この役割を果たす。また、硬質筒の基端に水溜め４を設けた場合は、これが同じ役割を果たす。【０００９】  植木鉢１０の側面または上面から差し込む形式は、主にプランタ等に使用すると良く、この場合は、水溜め４を鉢土底より低くなる長さにすると鉢底から水が漏れなくなる。この場合は、水溜めの太さを給水材３よりかなり太くし、透明の軟質ビニール等で作れば扱いが柔軟になり、水位も観測できる。また、水溜め４上部には通気口１２を設ける。
【発明の効果】
【００１０】  底面給水用の特殊な鉢を必要とせず、任意な鉢を利用でき、植え込んでから鉢底や鉢側、鉢上から自由に差し込んで使用でき、植物が使用した分だけ自動給水され、乾燥に対応した給水となる。また、給水量に対応して適宜に差し替えればよく、面積の広い鉢なら複数本差し込めば良い。底面給水鉢なら、植え込む時に給水材をセットするため、給水材の目詰まりや給水量の変更のために給水材を変更しようとすれば、植え替えが必要になる。【００１１】  給水材質、硬質筒径及び長さ、給水孔径及び配置、差し込み位置等を変えれば、給水量や給水高さ、給水位置等を自由に変更でき、簡単構造であるから、安価で提供できる。【００１２】  給水方式としては、下部に水槽を置く方法と、チューブで直接給水する方法が取れるが、下部に水槽を置く方法の場合、この水槽に定水位で水を自動供給できれば、水槽への給水も省略できる。なお、定水位での水の供給方法については特許請求の範囲外である。【００１３】  請求項２の方法を使ってチューブで直接給水する場合は、供給水位を鉢土面以下にすれば、鉢底から水は漏れないので、屋内でも水受け皿を必要としないので、美観も良好となる。ただし、定水位で水を自動供給する必要があるが、これについては特許請求の範囲外である。
【図面の簡単な説明】
【００１４】
【図１】  水槽を利用する場合の使用例縦断面図
【図２】  チューブで直接給水する場合の使用例縦断面図
【図３】  側面から差し込んで使用する場合の縦断面図
【発明を実施するための形態】
【００１５】  使用に当たっては、植生に対応した給水量の給水具を差し込み、水面内に給水材の下端を垂らせばよい。なお、チューブ６で直接給水する場合で、鉢底の高さが低い場合は、水溜め４が床に当たるので、その時は、鉢下に高さ調整板１１を敷くと良い。また、鉢際に水位観測口兼用の通気筒８を立てる必要がある。下部に水槽９を置く方法は、鉢が載せられ、給水材を水面内に垂らすことができればどのような構造でも良い。
【符号の説明】
【００１６】１  硬質筒
２  給水孔
３  給水材
４  水溜め
５  チューグ接続口
６  チューブ
７  コブ
８  通気筒
９  水槽
１０  植木鉢
１１  高さ調整板
１２  通気口
【図１】
2014039522.tif 000003
【図２】
2014039522.tif 000004
【図３】
2014039522.tif 000005
(57)【要約】【課題】ゴーヤなどツル性植物の高所の実を、高枝切りバサミなどの大きな刃物で刈り取ろうとすると、絡み合ったツルの中から実だけを刈り取るのは困難である。また、ネットや紐にツルを這わせた場所での脚立やはしごの使用は，不安定で危険を伴う。  本発明は、ツル性植物の高所の実を安全に簡便に収穫できる収穫カッターを提供する。【解決手段】伸縮軸の先端に引っ掛け部を設け、引っ掛け部の内側に刃を設ける。伸縮軸後部の柄の上部に、引っ掛け部を収納する吊り下げ紐付きのカバーを設けたことを特徴とするツル性植物の実の収穫カッター。【選択図】図１
2014039521.tif 000002
【特許請求の範囲】
【請求項１】
伸縮軸の先端に引っ掛け部を設け、引っ掛け部の内側に刃を設け、伸縮軸の後部に，引っ掛け部を収納するカバーを設けたゴーヤなどツル性植物の収獲カッター。
【発明の詳細な説明】
【技術分野】
【０００１】  本発明は、ゴーヤなどツル性植物の実の収穫をするための、ゴーヤなどツル性植物の収穫カッターに関するものである。
【背景技術】
【０００２】  従来一般家庭では、ゴーヤなどツル性植物の高所の実を収穫するためには、高枝切りバサミを使用したり、脚立やはしごに登ってハサミで刈り取るなどしていた。
【先行技術文献】
【特許文献】
【０００３】
【特許文献１】特許公開平８−３２２３６４号
【発明の概要】
【発明が解決しようとする課題】
【０００４】  ゴーヤなどツル性植物の高所の実を、高枝切りバサミなどの大きな刃物で刈り取ろうとすると、絡み合ったツルの中から実だけを刈り取るのは困難である。
また、ネットや紐にツルを這わせた場所での脚立やはしごの使用は、不安定で危険を伴う。
本発明は、以上の問題点を解決するためになされたものである。
【課題を解決するための手段】
【０００５】  伸縮軸の先端に逆Ｕ字状の引っ掛け部を設け、引っ掛け部の内側にゴーヤなどの実を刈り取る刃を設ける。伸縮軸後部の柄の上部に、引っ掛け部を収納する吊り下げ紐付きのカバーを設ける。
以上の構成よりなる、ゴーヤなどツル性植物の実の収穫カッター。
【発明の効果】
【０００６】  従来困難とされていた、ゴーヤなどツル性植物の高所の実の収穫を、本発明により安全に簡便に収穫することができる。
【図面の簡単な説明】
【０００７】
【図１】  本発明の使用状態を示す斜視図
【図２】  本発明の要部の拡大正面図
【図３】  本発明の短縮状態を示す正面図
【図４】  本発明の使用状態を示す正面図
【発明を実施するための形態】
【０００８】  以下、本発明の実施の形態を説明する。
（イ）伸縮軸（１）の先端に、逆Ｕ字状の引っ掛け部（２）を設ける。
（ロ）引っ掛け部（２）の内側に、刃（４）を設ける
（ハ）伸縮軸（１）の後部の柄（５）の上部に、カバー（６）を設け、カバー（６）の上部に、吊り下げ紐（７）を設ける。
本発明は以上のような構造である。
本発明を使用するときは、柄（５）を持ち、先端部（３）をつまみ、カバー（６）から引っ掛け部（２）を引き出し、伸縮軸（１）を延長する。ゴーヤなどの実（８）の茎に引っ掛け部（２）を引っ掛け、刃（４）で実を刈り取る。
ツルが絡み合っている部分の実を収獲する時も、引っ掛け部（２）の先端部（３）がとがっているので、絡み合ったツルを掻き分けて目的の実を収獲できる。
【符号の説明】
【０００９】１  伸縮軸、２  引っ掛け部、３  先端部、４  刃、５  柄、６  カバー、７  吊り下げ紐、８  ゴーヤなどの実
【図１】
2014039521.tif 000003
【図２】
2014039521.tif 000004
【図３】
2014039521.tif 000005
【図４】
2014039521.tif 000006
(57)【要約】【課題】  ペットボトル等をそのまま倒立させる形式では、吐出口にネジ山があるので、うまく立てられない。また、また、口径が大きいので排水量が大きく、水がボッボッと波状的に排出されるので、立てたり引き抜いたりする時に水がこぼれてしまい、屋内での使用は難しい。【解決手段】  先端を筒状として斜め形状またはＶ字形状にカットした専用ボトルキャップと、このキャップを嵌めたボトルを倒立させて自立させるためのキャップ支持台とで構成する。【選択図】図３
2014039523.tif 000002
【特許請求の範囲】
【請求項１】
先端を筒状として斜め形状又はＶ字形状にカットした専用ボトルキャップと、このキャップを嵌めたボトルを倒立させて自立させるためのキャップ支持台とで構成するボトル利用の定水位給水具。
【請求項２】
支持台外周に囲いを設け、下辺に任意数のチューブ接続口を設けた請求項１記載のボトル利用の定水位給水具。
【請求項３】
囲いに蓋を設け、この蓋を支持台とした請求項２記載のボトル利用の定水位給水具。
【発明の詳細な説明】
【技術分野】
【０００１】  本発明は、ボトルを倒立させて、ボトル内の水を一定水位で供給する用具である。
【背景技術】
【０００２】  従来から、ボトルを倒立させて定水位で給水する方法は各種提案されている。特許公開２００４−３２３１０５、特許公開２０１０−１７０９７、実用新案第３０２３２５１号等。また、商品もある。
【発明の概要】
【発明が解決しようとする課題】
【０００３】  ペットボトル等をそのまま倒立させる形式では、吐出口にネジ山があるのでうまく立てられない。また、口径が大きいので排水量が大きく、水がボッボッと波状的に排出されるので、立てたり引き抜いたりする時に水が飛び出してしまう。屋外で使用するなら問題ないが、屋内では水飛散防止カバー等がなければ使用が難しい。口径を小さくすると、水が排出されず、最低でも１５ｍｍは必要だ。それでも波状的な排出に変わりはない。また、水位変動幅が大きい。【０００４】  バルブを設ける形式も提案されているが、構造が複雑だし、商品が無いので主張通りの効果があるかどうかも検証できない。
【課題を解決するための手段】
【０００５】  先端を筒状として斜め形状５又はＶ字形状６にカットした専用ボトルキャップ３と、このキャップを嵌めたボトル４を倒立させて自立させるためのキャップ支持台１とで構成する。【０００６】  キャップ支持台１は、放射配置の板状としても良く、筒状としても良く、台盤２上に設けるが、外周に囲い８を設け、その蓋７を支持台として利用することもできる。囲いを設ける場合は、内部が水槽となり、囲い８の外周下辺に任意の数のチューブ接続口９を設ければ、チューブ１０による定水位自動給水の水源とできる。なお、蓋を使う時は上部に通気口１３を設ける。
【発明の効果】
【０００７】  水道や電気が無い環境で、ボトル内の水を使って一定の水位で植木鉢等に自動給水する水源とでき、構造が極めて単純であるから、安価で製造できる。【０００８】  専用キャップ頭部の筒状口径が小さくても、カットした根元から空気が流入し、水は排出され、そのまま傾けても水は細く滑らかに排出され、水をこぼすこともなく差し込んだり、引き抜いたりできるので、屋内でも使用できる。斜め形状にカットした場合は筒先を指先で押さえることも容易だ。
【図面の簡単な説明】
【０００９】
【図１】  キャップ支持台を板状とした場合の断面図
【図２】  キャップ支持台を筒状とした場合の断面図
【図３】  囲いを設けた場合の断面図
【図４】  囲いの蓋をキャップ支持台とした場合の断面図
【発明を実施するための形態】
【００１０】  ボトルに水を満たし、専用ボトルキャップ３を嵌めて倒立させてキャップ支持台１に差し込めば、定水位の給水が開始される。ボトルには化粧カバーを被せれば外観も良くなるので、屋内で使用しても違和感が無くなる。また、専用の化粧ボトルを作成しても良い。
【００１１】  水量が不足する時は、複数のボトルを立てれば良く、複数のチューブ接続口９を設けている場合はチューブ１０で連結すれば一体として利用できる。また、給水先との水位微調整には、高さ調整板１１を敷くと簡単だ。なお、チューブ接続口を使用しない場合はゴムキャップを被せておく。
【符号の説明】
【００１２】  １    キャップ支持台
２    台盤
３    専用ボトルキャップ
４    ボトル
５    斜め形状
６    Ｖ字形状
７    蓋
８    囲い
９    チューブ接続口
１０  チューブ
１１  高さ調整板
１２  定水位面
１３  通気口
【図１】
2014039523.tif 000003
【図２】
2014039523.tif 000004
【図３】
2014039523.tif 000005
【図４】
2014039523.tif 000006
(57)【要約】【課題】鼻詰りに対して、飴を舐めても鼻の中がスッキリする訳でもなく、唾液と供に胃へ流れていき意味がない。飴を舐めると糖分を過剰に摂取し、体重増加や糖尿病などの健康被害に繋がっている。鼻が詰まると夜も眠れない上、日中の生活事故につながる。  本発明は、健康被害と睡眠障害を軽減させるための呼吸爽快ＩＢＯＸを提供する。【解決手段】三角柱状の本体に小穴とレールを設け、板状に本体取り付けレールを設け、レールに本体抜け落ちストッパーを設け、専用匂いカートリッジ（清涼成分）を設け、本体にカートリッジ抜け落ちストッパーを設け、カートリッジ専用ケースを設けたことを特徴とする呼吸爽快ＩＢＯＸ。【選択図】図７
2014039783.tif 000002
【特許請求の範囲】
【請求項１】
三角柱状の本体に小穴とレールを設け、板状に本体取り付けレールを設け、レールに本体抜け落ちストッパーを設け、専用匂いカートリッジ（清涼成分）を設け、本体にカートリッジ抜け落ちストッパーを設け、カートリッジ専用ケースを設けた呼吸爽快ＩＢＯＸ。
【発明の詳細な説明】
【技術分野】
【０００１】  本発明は、花粉症や鼻詰りと鼻炎などの呼吸爽快ＩＢＯＸに関するものである。
【背景技術】
【０００２】  従来、鼻が詰まっている時は、鼻をかんだり、鼻・喉飴や喉飴を舐めしのいでいたり、マスクをかけ時間をやりすごしていた。
なお、鼻をかみすぎると、鼻の周りが出血したり赤く腫れ上がったりして痛い思いをし、鼻が詰まると寝苦しく苦労する事が知られている。
【先行技術文献】
【特許文献】
【０００３】
【特許文献１】
【発明の概要】
【発明が解決しようとする課題】
【０００４】  鼻詰りに対して、飴を舐めても鼻の中がスッキリする訳でもなく、唾液と供に胃へ流れていき意味がない。飴を舐めると糖分を過剰に摂取し、体重増加や糖尿病などの健康被害に繋がっている。鼻が詰まると夜も眠れない上、日中の生活事故につながる。
本発明は、以上の問題点を解決するためになされたものである。
【課題を解決するための手段】
【０００５】  三角柱状の本体に小穴とレールを設け、板状に本体取り付けレールを設け、レールに本体抜け落ちストッパーを設け、専用匂いカートリッジ（清涼成分）を設け、本体にカートリッジ抜け落ちストッパーを設け、カートリッジ専用ケースを設ける。
以上の構成よりなる呼吸爽快ＩＢＯＸ。
【発明の効果】
【０００６】  従来不可能とされていた鼻腔器官の鼻詰りを、本発明により可能にし、安全に快適に日常生活をおくることができる。
本発明は、日常の呼吸障害や健康被害を軽減することができる。
【図面の簡単な説明】
【０００７】
【図１】本発明の斜視図
【図２】本発明の使用状態を示す斜視図
【図３】本発明の斜視図
【図４】本発明の使用状態を示す斜視図
【図５】本発明の斜視図
【図６】本発明の使用状態を示す斜視図
【図７】本発明の斜視図
【図８】本発明の使用状態を示す斜視図
【発明を実施するための形態】
【０００８】  以下、本発明の実施の形態を説明する。
（イ）三角柱状（１）に本体（２）を設け、複数の細穴（３）と小穴（４）を貫通させ、レール（６）を設ける。
（ロ）板状（９）に本体（２）を差し込むレール（１０）を設け、本体抜け落ち防止板（１３）とストッパー凸部（１１）を設け、レール（１０）裏に粘着面（１２）を設ける。
（ハ）円柱状（８）に専用匂いカートリッジ（７）を設け、小穴（４）へ差し込み、抜け落ち防止にストッパー凸部（５）を左右に設ける。
（ニ）カートリッジを収納する専用ケース（１４）を設ける。
本発明は以上のような構造である。
本発明を使用するときは、普段使い慣れている市販マスク（１８）を用意し、鼻と上唇の間の位置を確認する。確認後、レール（１０）裏の粘着面（１２）を間に貼り付ける事となるが、レール（１０）に設けられている凸部（１１）を上向きにし、マスク（１８）の中心に貼り付ける為のガイドとして活用する。ケース（１４）からカートリッジ（７）を１本取り出し本体（２）に設けられている小穴（４）へ、先端が丸い方を差し込み入れる。このとき差し込む方向は左右どちらからでも構わないが、左右に設けられてる凸部（５）の間に止まっている事を確認する。マスク（１８）に貼り付けたレール（１０）に本体（２）に設けられているレール（６）を上から差し込み、本体抜け落ち防止板（１３）と凸部（１１）の間に本体（２）が収まっている事を確認する。カートリッジ（７）に含まれている清涼成分は本体（２）に設けられた、細穴（３）や小穴（４）から香り出る事となる。すべてのパーツを装着後マスク（１８）を掛けると鼻と上唇の間に本体（２）がくる。したがって、清涼成分を鼻から直接吸う事ができ鼻の通りが良くなり爽快な気分になる為、身体への健康被害を軽減する事が可能となる。
香りが消え不用となったカートリッジ（７）を交換する際は、小穴（４）へ新品を差し込むと不用になったカートリッジ（７）が前へ押し出され交換完了になる。
カートリッジ専用ケース（１４）には、入れ物（１５）と蓋（１６）を設け、間にゴムパッキン（１７）を設ける事により香りの密閉と落下防止の役目を果たす事になる。
【符号の説明】
【０００９】１  三角柱状、２  本体、３  細穴、４  小穴、５  凸部、６  レール、
７  カートリッジ（清涼成分）、８  円柱状、９  板状、１０  レール、
１１  凸部、１２  粘着面、１３  本体抜け落ち防止板、１４  ケース、
１５  入れ物、１６  蓋、１７  ゴムパッキン、１８  市販マスク
【図１】
2014039783.tif 000003
【図２】
2014039783.tif 000004
【図３】
2014039783.tif 000005
【図４】
2014039783.tif 000006
【図５】
2014039783.tif 000007
【図６】
2014039783.tif 000008
【図７】
2014039783.tif 000009
【図８】
2014039783.tif 000010
(57)【要約】【課題】洗濯した生乾きの衣類などを室内で干すとき、ハンガーにかけるなどの手間を省き、コンパクトな空間でたたんで収納したまま乾燥し、また寒いときにも衣類やタオルなどを温めて使用できる衣類乾燥保温チェストを提供する。【解決手段】チェストの引き出しの下部に接する板に、温度調節できるコントロールスイッチがついたホットマットを設け、ホットマットには防水・抗菌・防カビ加工を施し、引き出しはホットマットからの熱を伝える素材で通気性のよい網目状のバスケットに取っ手を設け、その引き出しに生乾きの衣類などを入れることによってホットマットからの熱で衣類などを収納したまま乾燥・保温することができる。【選択図】図１
2014039784.tif 000002
【特許請求の範囲】
【請求項１】
チェストの収納空間の底面となる中板と底板上部にそれぞれ温度調節できるコントロールスイッチがついたホットマットを設け、ホットマットには防水・抗菌・防カビ加工を施し、通気性・熱伝導性のよい網目状のバスケットに断熱素材の取っ手がついた引き出しを収納空間に設けた衣類乾燥保温チェスト。
【請求項２】
前記コントロールスイッチには、タイマーが設けられていることを特徴とする請求項１の衣類乾燥保温チェスト。
【発明の詳細な説明】
【技術分野】
【０００１】  本発明は、衣類収納チェストにホットマットをつけた衣類乾燥保温チェストに関するものである。
【背景技術】
【０００２】  従来、洗濯した衣類を室内で干す方法として、ハンガーなどにつるしてカバーでおおい、その下に乾燥機を置いて乾かす方法があった。
【発明の概要】
【発明が解決しようとする課題】
【０００３】  洗濯した後の生乾きの衣類などを室内でハンガーなどにつるして干すには、次のような問題点があった。
（イ）ハンガーなどで干すスペースを室内に確保するのが難しかった。
（ロ）ハンガーを設置してそれに洗濯した衣類をつりさげ、その上をカバーでおおい、下に乾燥機を置いて干し、乾燥後に衣類をハンガーから外してたたみ、チェストまたはたんすに収納するには時間と手間がかかった。
（ハ）冬の寒い季節などに衣類を温めて着る機会がなかった。
本発明は、これらの問題を解決するためになされたものである。
【課題を解決するための手段】
【０００４】  衣類を収納するチェストの引き出しの下部に接する板に、温度調節できるホットマットを設け、引き出しは下部からの熱を伝える素材でバスケット形態の網目を設け、その引き出しに衣類をたたんで収納したまま乾燥・保温することを特徴とする衣類乾燥保温チェスト。
【発明の効果】
【０００５】  洗濯した衣類を収納した状態で乾燥でき、保温することで寒いときに温かい衣類を身に着けることができ、室内で衣類を干すスペースをチェストのサイズに縮小でき、人目に触れることを気にしながら下着などを干すということも避けられる。
【図面の簡単な説明】
【０００６】
【図１】本発明の斜視図
【図２】本発明の実施例の斜視図
【図３】本発明の引き出し部の斜視図
【図４】本発明のチェスト本体の一部を切り欠いた斜視図
【図５】本発明の中板の正面拡大図
【発明を実施するための形態】
【０００７】  以下、本発明の実施形態について説明する。本発明のチェストは、チェスト本体に、引き出しを自在に出し入れする収納空間を１つ以上有していることを特徴とする。
【０００８】（イ）図１に示すように、チェスト１は、チェスト本体２の収納空間を仕切る中板７の上部に温熱を伝える発熱体を組み込んだホットマット８を設ける。ホットマット８は洗濯ものなどの水分に対して防水・抗菌・防カビ加工を施しているもので、電源を入れると発熱体が発熱するものである。
（ロ）チェストの底板６上部にもホットマット８を設ける。
（ハ）チェスト本体２に複数の収納空間がある場合も各段の中板７にホットマット８を設ける。
（ニ）図２・図３に示すように、引き出し３はチェスト本体２の収納空間に出し入れ自在にする。引き出し３の中に入れた湿った衣類などをホットマット８からの熱で水分を蒸発させ、乾燥させるように引き出し３は熱伝導性のよい素材で網目状のバスケット１２にする。バスケット１２の網目の粗さは、外から中身が見えにくく、且つ湿気がたまりにくい通気性を確保する。
（ホ）引き出し３の上部へりの正面と側面には、チェスト本体２と同じ触っても熱くない断熱素材で取っ手１３を装着し、引き出し３を出し入れする際に持ちやすいようにする。
（ヘ）バスケット１２の正面には、引き出す際に手をかけようすいように開口部１４を設け、また通気性も確保する。
（ト）図４に示すように、各段の中板７と底板６上部に設けられたホットマット８の電気の配線は、各段の配線コード１１を一括した主電源コード１０をチェストの側板５に設ける。
（チ）図５に示すように、各段の中板７と底板６上部の正面には、ホットマット８の電源を切ったり入れたりするスイッチ１５と温度調節ができる温度調節パネル１６を含むコントロールスイッチ９を設ける。温度調節は「低温」「中温」「高温」を選択できるようにしてそれぞれ、「弱」「中」「強」と表示する。
（リ）また、コントロールスイッチ９には自動で電源が切れるタイマーを設けてもよい。
本発明は、以上のような構成である。
【０００９】  以下、本発明の使用方法を説明する。
使用するときは、チェスト本体２からバスケット形態の引き出し３を取り出し、そこに生乾きの洗濯物や温めたい衣類・タオルなどをたたんで入れてチェスト本体２に戻し、引き出し３の下の板６・７に設けられたホットマット８をコントロールスイッチ９で電源を入れて発熱させ、衣類などの状態によって発熱温度を「弱」「中」「強」に調整して乾燥や保温をする。
引き出し３はホットマット８からの熱が伝わりやす素材だが、取っ手１３は断熱素材で正面と両サイドのヘリについているので、その取っ手１３を持って出し入れする。引き出し３の正面の取っ手１３の下には通気口を兼ねた開口部１４があるので引き出し３を引き出すときは開口部１４から取っ手に手をかけて引くと出しやすい。
引き出し３の収納空間が、２段、３段と複数あるチェスト１では、洗濯物などの素材や湿り気の状態によって弱い温度の段や強い温度の段に分けて乾燥・保温することもできる。乾燥・保温させたいものが少量のときは、１段目だけを使用して他の段は電源を消しておくことができる。乾燥・保温させたいものの量が多いときは、２段目や３段目に分けて使用することで過度の重ね置きを避けられる。
あらかじめ乾かすものをたたんで引き出し３に入れておくことで乾燥終、たたまれた状態のままたんすなどに移し替えることができる。
コントロールスイッチ９に自動で電源が切れるタイマーを設けていると乾燥したまま外出しても乾燥しすぎることを避けられる。
【符号の説明】
【００１０】１チェスト
２チェスト本体
３引き出し
４天板
５側板
６底板
７中板
８ホットマット
９コントロールスイッチ
１０電源コード
１１配線コード
１２バスケット
１３取っ手
１４開口部
１５スイッチ
１６温度調節パネル
【図１】
2014039784.tif 000003
【図２】
2014039784.tif 000004
【図３】
2014039784.tif 000005
【図４】
2014039784.tif 000006
【図５】
2014039784.tif 000007